(57)【要約】      （修正有）【課題】換気を行いつつ断熱性能を向上させられる二重窓を提供する。【解決手段】枠１１と引き違い状に開閉自在な外障子１２ａ、内障子１２ｂとを備えた外窓１と、枠２４内に引き違い状に開閉自在な外障子２５ａ，内障子２５ｂとを備えた内窓２と、外窓１の上框１６に多数の通気孔を設け室内外に連通する通気部４と、内窓２の上枠２６に多数の通気孔３２ｂを設け室内外に連通する通気部５を有した二重窓であって、通気部４，５のいずれかに空気の流れに抵抗を与える抵抗部６が設けてあり、外窓１の通気部４と外窓１・内窓２間の中間層３と内窓２の通気部５を通じて室内外を空気が流れる構成とした。【選択図】図１
2013209876.tif 000002
【特許請求の範囲】
【請求項１】
外窓と内窓とを備え、外窓と内窓は通気部を有し、通気部のいずれかに空気の流れに抵抗を与える抵抗部が設けてあり、外窓の通気部と外窓・内窓間の中間層と内窓の通気部を通じて室内外を空気が流れるようにしたことを特徴とする二重窓。
【請求項２】
外窓と内窓と整流体とを備え、外窓と内窓は通気部を有し、整流体は、外窓と内窓の間の中間層に設けてあり、中間層内の空気の流れを外窓と内窓に沿うように迂回させるものであり、外窓の通気部と中間層と内窓の通気部を通じて室内外を空気が流れるようにしたことを特徴とする二重窓。
【請求項３】
通気部を有する外窓の室内側に間隔をおいて設ける内窓であって、内窓は、通気部を有すると共に、通気部の空気の流れに抵抗を与える抵抗部を有し、外窓の通気部と外窓・内窓間の中間層と内窓の通気部を通じて室内外を空気が流れるようにしたことを特徴とする二重窓の内窓。
【請求項４】
通気部を有する外窓の室内側に間隔をおいて設ける内窓であって、内窓は通気部を有し、外窓と内窓の間の中間層には、中間層内の空気の流れを外窓と内窓に沿うように迂回させる整流体が設けられ、外窓の通気部と中間層と内窓の通気部を通じて室内外を空気が流れるようにしたことを特徴とする二重窓の内窓。
【請求項５】
通気部を有する外窓の室内側に一定間隔をあけて、通気部と通気部内に抵抗部を備えた内窓を設置し、外窓の通気部と外窓・内窓間の中間層と内窓の通気部を通じて室内外を空気が流れるようにしたことを特徴とする二重窓の形成方法。
【請求項６】
通気部を有する外窓の室内側に一定間隔をあけて、通気部を備えた内窓を設置するとともに、外窓と内窓の間の中間層に中間層内の空気の流れを外窓と内窓に沿うように迂回させる整流体を設置し、外窓の通気部と中間層と内窓の通気部を通じて室内外を空気が流れるようにしたことを特徴とする二重窓の形成方法。
【発明の詳細な説明】
【技術分野】
【０００１】
本発明は、二重窓と、二重窓の内窓、二重窓の形成方法に関する。
【背景技術】
【０００２】
窓の断熱性を高めるために、外窓の室内側に内窓を設けた二重窓が採用されることがある。二重窓にすると断熱性能は単体の窓よりもかなり向上するが、それでも窓枠やガラスを伝わって室内の熱が逃げる。
また近年の高気密・高断熱住宅では、シックハウス対策のために２４時間換気を行うことが義務付けられているが、２４時間換気では冬期に室外の冷たい空気が直接室内に入ってくるため、暖房効率が悪くなる不都合がある。
【発明の概要】
【発明が解決しようとする課題】
【０００３】
本発明は以上に述べた実情に鑑み、換気を行いつつ断熱性能を向上させられる二重窓と、二重窓の内窓、二重窓の形成方法の提供を目的とする。
【課題を解決するための手段】
【０００４】
上記の課題を達成するために請求項１記載の発明による二重窓は、外窓と内窓とを備え、外窓と内窓は通気部を有し、通気部のいずれかに空気の流れに抵抗を与える抵抗部が設けてあり、外窓の通気部と外窓・内窓間の中間層と内窓の通気部を通じて室内外を空気が流れるようにしたことを特徴とする。本発明は、外窓と内窓を同時に新設する場合の他、既存の単体のサッシ（外窓）が取付けられた窓に、後から内窓を増設して二重窓とする場合も含まれる。
【０００５】
請求項２記載の発明による二重窓は、外窓と内窓と整流体とを備え、外窓と内窓は通気部を有し、整流体は、外窓と内窓の間の中間層に設けてあり、中間層内の空気の流れを外窓と内窓に沿うように迂回させるものであり、外窓の通気部と中間層と内窓の通気部を通じて室内外を空気が流れるようにしたことを特徴とする。本発明は、外窓と内窓を同時に新設する場合の他、既存の単体のサッシ（外窓）が取付けられた窓に、後から内窓を増設して二重窓とする場合も含まれる。
【０００６】
請求項３記載の発明による二重窓の内窓は、通気部を有する外窓の室内側に間隔をおいて設ける内窓であって、内窓は、通気部を有すると共に、通気部の空気の流れに抵抗を与える抵抗部を有し、外窓の通気部と外窓・内窓間の中間層と内窓の通気部を通じて室内外を空気が流れるようにしたことを特徴とする。外窓は、内窓と共に新設するものであってもよいし、既存の外窓を利用してもよい。
【０００７】
請求項４記載の発明による二重窓の内窓は、通気部を有する外窓の室内側に間隔をおいて設ける内窓であって、内窓は通気部を有し、外窓と内窓の間の中間層には、中間層内の空気の流れを外窓と内窓に沿うように迂回させる整流体が設けられ、外窓の通気部と中間層と内窓の通気部を通じて室内外を空気が流れるようにしたことを特徴とする。外窓と整流体は、内窓と共に新設するものであってもよいし、既存のものを利用してもよい。
【０００８】
請求項５記載の発明による二重窓の形成方法は、通気部を有する外窓の室内側に一定間隔をあけて、通気部と通気部内に抵抗部を備えた内窓を設置し、外窓の通気部と外窓・内窓間の中間層と内窓の通気部を通じて室内外を空気が流れるようにしたことを特徴とする。本発明は、外窓と内窓を同時に新設する場合の他、既存の単体のサッシ（外窓）が取付けられた窓に、後から内窓を増設して二重窓とする場合も含まれる。
【０００９】
請求項６記載の発明による二重窓の形成方法は、通気部を有する外窓の室内側に一定間隔をあけて、通気部を備えた内窓を設置するとともに、外窓と内窓の間の中間層に中間層内の空気の流れを外窓と内窓に沿うように迂回させる整流体を設置し、外窓の通気部と中間層と内窓の通気部を通じて室内外を空気が流れるようにしたことを特徴とする。本発明は、外窓と内窓を同時に新設する場合の他、既存の単体のサッシ（外窓）が取付けられた窓に、後から内窓を増設して二重窓とする場合も含まれる。なお、内窓と整流体は、どちらを先に設置してもよく、また、同時に設置してもよい。
【発明の効果】
【００１０】
請求項１記載の発明による二重窓は、外窓の通気部と中間層と内窓の通気部を通じて室内外を空気が流れることで換気が行え、冬期においては室内から室外に伝わる熱を中間層の空気の流れによって回収し室内に戻すことで、夏期においては室外から室内に伝わる熱を中間層の空気の流れによって回収し室外に放出することで、空気の流入する方向とは逆方向の熱移動が妨げられ、断熱性能が向上する。通気部のいずれかに空気の流れに抵抗を与える抵抗部が設けてあることで、空気が逆流するのを防止できる。
【００１１】
請求項２記載の発明による二重窓は、外窓の通気部と中間層と内窓の通気部を通じて室内外を空気が流れることで換気が行え、冬期においては室内から室外に伝わる熱を中間層の空気の流れによって回収し室内に戻すことで、夏期においては室外から室内に伝わる熱を中間層の空気の流れによって回収し室外に放出することで、空気の流入する方向とは逆方向の熱移動が妨げられ、断熱性能が向上する。中間層に設けた整流体により中間層内の空気の流れを外窓と内窓に沿うように迂回させることで、中間層の空気の流れによって効率良く熱を回収できる。
【００１２】
請求項３記載の発明による二重窓の内窓によれば、外窓の通気部と中間層と内窓の通気部を通じて室内外を空気が流れることで換気が行え、冬期においては室内から室外に伝わる熱を中間層の空気の流れによって回収し室内に戻すことで、夏期においては室外から室内に伝わる熱を中間層の空気の流れによって回収し室外に放出することで、空気の流入する方向とは逆方向の熱移動が妨げられ、断熱性能が向上する。内窓の通気部に空気の流れに抵抗を与える抵抗部が設けてあることで、空気が逆流するのを防止できる。
【００１３】
請求項４記載の発明による二重窓の内窓によれば、外窓の通気部と中間層と内窓の通気部を通じて室内外を空気が流れることで換気が行え、冬期においては室内から室外に伝わる熱を中間層の空気の流れによって回収し室内に戻すことで、夏期においては室外から室内に伝わる熱を中間層の空気の流れによって回収し室外に放出することで、空気の流入する方向とは逆方向の熱移動が妨げられ、断熱性能が向上する。中間層に設けた整流体により中間層内の空気の流れを外窓と内窓に沿うように迂回させることで、中間層の空気の流れによって効率良く熱を回収できる。
【００１４】
請求項５記載の発明による二重窓の形成方法は、通気部を有する外窓の室内側に一定間隔をあけて、通気部と通気部内に抵抗部を備えた内窓を設置し、外窓の通気部と外窓・内窓間の中間層と内窓の通気部を通じて室内外を空気が流れるようにしたので、換気が行えるとともに、冬期においては室内から室外に伝わる熱を中間層の空気の流れによって回収し室内に戻すことで、夏期においては室外から室内に伝わる熱を中間層の空気の流れによって回収し室外に放出することで、空気の流入する方向とは逆方向の熱移動が妨げられ、断熱性能が向上する。内窓の通気部内に抵抗部が設けてあることで、空気が逆流するのを防止できる。
【００１５】
請求項６記載の発明による二重窓の形成方法は、通気部を有する外窓の室内側に一定間隔をあけて、通気部を備えた内窓を設置するとともに、外窓と内窓の間の中間層に中間層内の空気の流れを外窓と内窓に沿うように迂回させる整流体を設置し、外窓の通気部と中間層と内窓の通気部を通じて室内外を空気が流れるようにしたことで、換気が行えるとともに、冬期においては室内から室外に伝わる熱を中間層の空気の流れによって回収し室内に戻すことで、夏期においては室外から室内に伝わる熱を中間層の空気の流れによって回収し室外に放出することで、空気の流入する方向とは逆方向の熱移動が妨げられ、断熱性能が向上する。中間層に設けた整流体により中間層内の空気の流れを外窓と内窓に沿うように迂回させることで、中間層の空気の流れによって効率良く熱を回収できる。
【図面の簡単な説明】
【００１６】
【図１】本発明の二重窓の第１実施形態を示す縦断面図である。
【図２】第１実施形態の二重窓の上部を拡大して示す縦断面図である。
【図３】第１実施形態の二重窓の横断面図である。
【図４】第１実施形態の二重窓の室外側正面図である。
【図５】第１実施形態の二重窓の室内側正面図である。
【図６】第１実施形態の二重窓が組み込まれた建物の縦断面図である。
【図７】本発明の二重窓の第２実施形態を示す縦断面図である。
【図８】本発明の二重窓の第３実施形態を示す縦断面図である。
【図９】本発明の二重窓の第４実施形態を示す縦断面図である。
【図１０】本発明の二重窓についての熱貫流率の解析結果を示す表である。
【図１１】図１０に示す解析結果をグラフ化したものである。
【図１２】本発明の二重窓の第５実施形態を示す縦断面図である。
【図１３】本発明の二重窓の第６実施形態を示す縦断面図である。
【図１４】本発明の二重窓の第７実施形態を示す縦断面図である。
【図１５】本発明の二重窓の第８実施形態を示す縦断面図である。
【図１６】第８実施形態の二重窓の横断面図である。
【発明を実施するための形態】
【００１７】
以下、本発明の実施の形態を図面に基づいて説明する。図１〜５は、本発明の二重窓の第１実施形態を示している。この二重窓は、図１に示すように、建物の窓開口部１０の室外側に外窓１が設置してあり、窓開口部１０の室内側に内窓２が設置してあり、外窓１と内窓２の間の中間層３にハニカムブラインド７が上方から吊り下げて設置してある。
【００１８】
外窓１は、窓開口部１０に固定される枠１１と、枠１１内に引違い状に開閉自在に収めた外障子１２ａ及び内障子１２ｂとを備えている。枠１１は、上枠１３と下枠１４と左右の竪枠１５，１５とを枠組みして構成されている。外障子１２ａ及び内障子１２ｂは、上框１６と下框１７と戸先框１８と召合せ框１９とを框組みし、その内側にガラス２０を嵌め込んで構成されている。枠１１と障子１２ａ，１２ｂの框１６，１７，１８，１９は、アルミ製である。
上框１６は、図２，４に示すように、室外側と室内側の見付面に多数の通気孔２１ａ，２１ｂを設け、室内外に連通する通気部４が構成されている。上框１６の内部には、上框１６の長手方向にスライド自在に設けられ、室外側の通気孔２１ａを開閉自在な蓋体２２が設けてある。上框１６の室内側の見付面には、室内側の通気孔２１ｂをカバーするようにフィルター２３が着脱自在に設けてある。
【００１９】
内窓２は、窓開口部１０に固定される枠２４と、枠２４内に引違い状に開閉自在に収めた外障子２５ａ及び内障子２５ｂとを備えている。枠２４は、上枠２６と下枠２７と左右の竪枠４８，４８とを枠組みして構成されている。外障子２５ａ及び内障子２５ｂは、上框２８と下框２９と戸先框３０と召合せ框３１とを框組みし、その内側にガラス（複層ガラス）４５を嵌め込んで構成されている。枠２４と障子２５ａ，２５ｂの框２８，２９，３０，３１は、樹脂製である。
上枠２６は、図２，５に示すように、室外側と室内側の見付面に多数の通気孔３２ａ，３２ｂを設け、室内外に連通する通気部５が構成されている。上枠２６の内部には、通気部５を流れる空気に抵抗を与えるポーラス材６が埋め込んである。ポーラス材６としては、グラスウールやウレタンフォーム等を用いている。上枠２６の室外側と室内側の見付面には、通気孔３２ａ，３２ｂをカバーするようにフィルター３３，３３が着脱自在に設けてある。
【００２０】
ハニカムブラインド７は、図１に示すように、ポリエステルの不織布を用いてダブル・ハニカム（蜂の巣）構造のスクリーン状に構成され、このスクリーンが二重の空気層を作り、高い断熱効果を発揮する。またハニカムブライド７の両側の側部は、図３に示すように、額縁に沿って取付けた樹脂製のレール３４に案内してあり、気密性を高めている。したがって、中間層３内はハニカムブラインド７により室外側と室内側に仕切られ、ハニカムブラインド７の室外側の空気は室外の気温に近付き、ハニカムブライド７の室内側の空気は室内側の気温に近付き、ハニカムブラインド７の室外側と室内側で温度差が生じる。図１に示すように、ハニカムブライド７の下端と窓枠の下面との間には、数センチ程度の隙間３５を設けている。ハニカムブラインド７は、操作部３６を操作することで上下に伸縮自在となっている。操作部３６は、内窓２の上枠２６の端部に室内外方向に貫通して設けた挿通部４９に挿通して室内側に出してあり、内窓２の障子２５ａ，２５ｂを開けなくても室内側からハニカムブラインド７の操作が行えようにしている。
【００２１】
本二重窓の施工手順を説明すると、まず窓開口部１０の室外側に外窓１を設置する。次に、外窓１の室内側の窓開口部１０にハニカムブラインド７を設置する。その後、外窓の１の室内側に一定の間隔をあけて、窓開口部１０の室内側に内窓２を設置する。なお、ハニカムブラインド７は、内窓２を設置した後に設置することもできる。
【００２２】
図６は、この二重窓が組み込まれた建物を示しており、床３８と壁３９と天井４０とで室内が仕切られ、床３８と壁３９と天井４０には断熱材を埋め込んで断熱性を高めてある。一方の壁３９には窓開口部１０を設けて二重窓を取付けてあり、他方の壁３９には換気用の開口部４１を設けて送風機４２が取付けてある。冬期においては、送風機４２を運転して室内の空気を屋外に吸い出すことで室内を負圧に調整し、それに伴い室外の空気を外窓１の通気部４と中間層３と内窓２の通気部５を通じて室内に取り込み、２４時間換気を行っている。
また、建物には公知の冷暖房設備を備え、冷暖房設備により室内の気温を２０℃前後の快適な温度に保っている。図６は、冷暖房設備としてヒートポンプ４３を採用した場合を示している。ヒートポンプ４３は、室内側ユニット４３ａと室外側ユニット４３ｂとを備え、内蔵する熱交換器と冷媒回路により室内外の空気間で熱交換を行い、室内側ユニット４３ａの送風口４３ｃより冬季には温風を、夏季には冷風を室内に噴き出す。なおヒートポンプ４３は、冬季には送風機４２から排出される室内の空気をダクト４４を通して室外側ユニット４３ｂに送り、その空気から熱を回収することで、暖房コストを節約できるようにしている。
【００２３】
本二重窓は、樹脂製の枠２４及び框２８，２９，３０，３１と複層ガラス４５を用いた内窓２を設けたことと、外窓１と内窓２の間の中間層３にハニカムブラインド７を設けたことによる断熱効果に加え、外窓１の通気部４と中間層３と内窓２の通気部５を通じて室内外を空気が流れることで、空気の流入する方向とは逆方向の熱移動が妨げられ、より一層の断熱効果を発揮する。
冬期の場合について説明すると、図１に示すように、外窓１の障子１２ａ，１２ｂの上框１６に設けた通気部４より流入した冷たい室外の空気は、ハニカムブラインド７と外窓１の障子１２ａ，１２ｂの間を通っていったん下降し、その後、ハニカムブラインド７と内窓２の障子２５ａ，２５ｂの間を通って上昇する。この間に、内窓２の障子２５ａ，２５ｂより室内の熱が伝わり、空気が暖められる。その後、空気は内窓２の上枠２６の通気部５内に流入し、その内部に設けたポーラス材６により空気の流れの勢いが弱められ、室内の熱で暖められたポーラス材６や上枠２６の熱が空気に伝わり、室内の気温と略同じ温度に暖められて室内側の通気孔３２ｂより室内に流入する。このように、中間層３内を外窓１と内窓２に沿うように迂回して空気が流れること、内窓２の通気部５内で空気の流れに抵抗を与えることで、室内から室外に伝わる熱を空気の流れによって回収し、室内に戻すことで、室内から室外への熱の損失がほとんどなくなるので、非常に高い断熱性が得られる。また、外気を暖めて室内に採り込めるので、室内に居る人が冷たい風を感じることがなく、暖房効率も良い。なお、図中の矢印は空気の流れを示している。
【００２４】
また、内窓２の通気部５内にポーラス材６が設けてあることで、窓の上部と下部での温度差や室外の風の影響等により、空気が室内側から室外側に逆流するのを防止できる。内窓２の通気部５を、内窓２の上部（上枠２６）に設けたことで、中間層３内で内窓２に沿って上昇した空気を室内に効率よく採り込むことができ、室内に流入する空気の温度を高くできる。ハニカムブラインド７は、中間まで上げた状態や一番上まで上げた状態であっても、外窓１の通気部４から流入した空気はハニカムブラインド７に当たって外窓１に沿うように下向きに迂回するため、断熱性能を向上する効果がある。
【００２５】
内窓２の通気部５内に設けるポーラス材６等の抵抗部は、空気の流れに与える抵抗の強さが異なるものを何種類か準備しておき、その中から選択して用いることで、通気量を調節することができる。例えば、一つの建物に本発明の二重窓が設置された部屋が複数あり、トイレ等に設置された一つの換気扇により各部屋の換気を行う場合に、広い部屋には抵抗の小さいものを用い、狭い部屋には抵抗の大きいものを用いることで、各部屋に部屋の広さに応じた適正な換気量を確保することができる。
【００２６】
図７は、本発明の二重窓の第２実施形態を示している。この実施形態では、外窓１と内窓２の間の中間層３に、通常のブラインド８を設けている。ブラインド８自体の断熱性や気密性は、ハニカムブラインド７と比べると劣るが、ブラインド８によって空気の流れを外窓１と内窓２に沿うように迂回させる作用はあるので、第１実施形態のものと同様に、室内から室外に伝わる熱を空気の流れによって回収して室内に戻すことで、断熱性能を向上することができる。なおブラインド８は、フィン４６を縦にしてブラインド８を閉じた方が断熱効果は高まる。ハニカムブラインド７の場合と同様に、ブラインド８を中間まで上げた状態や一番上まで上げた状態であっても、外窓１の通気部４から流入した空気はブラインド８に当たって外窓１に沿うように下向きに迂回するため、断熱性能を向上する効果がある。
【００２７】
図８は、本発明の二重窓の第３実施形態を示している。この実施形態では、外窓１と内窓２の間の中間層３の上部に、整流ガイド９を設けている。整流ガイド９は、室外側に向けて湾曲して垂下する入口側ガイド片４７ａと、入口側ガイド片４７ａの下端より連続する垂直な部分とその下方に室内側に屈曲した部分を有する逆流防止片４７ｂと、室内側に傾斜した出口側ガイド片４７ｃとを有し、これらの片４７ａ，４７ｂ，４７ｃにより中間層３内の空気の流れを外窓１と内窓２に沿うように迂回させている。入口側ガイド片４７ａは、外窓１の通気部４から流入した空気を外窓１に沿うように下向きに迂回させる働きがあり、逆流防止片４７ｂは内窓２に沿って上昇した空気が室外側に逆流するのを防ぐ働きがあり、出口側ガイド片４７ｃは内窓２に沿って上昇した空気を内窓２の通気部５へと誘導する働きがある。本実施形態によっても、第１・第２実施形態と同様に、室内から室外に伝わる熱を空気の流れによって回収して室内に戻すことで、断熱性能を向上することができる。また本実施形態の二重窓では、室内側から見たときに整流ガイド９が内窓２の上枠２６と上框２８に大部分が隠れるので、ハニカムブラインド７やブラインド８を設けたときのように、視界が邪魔されない利点がある。
【００２８】
図９は、本発明の二重窓の第４実施形態を示している。この実施形態では、外窓１と内窓２の間の中間層３には何も設けていない。このように中間層３内に空気の流れを妨げるものがない場合でも、中間層３内の空気は外窓１寄りは室外の気温によって冷やされ、内窓２寄りは室内の気温によって暖められ、また冷たい空気は下降し、暖かい空気は上昇しようとするため、中間層３内に外窓１と内窓２に沿った自然な空気の流れが生じ、中間層３内を流れる空気に室内の熱が伝わり、且つ内窓２の上枠２６の通気部５内に設けたポーラス材６の作用により空気が室内側から室外側に逆流するのが防がれるため、室内から室外に伝わる熱を空気の流れによって回収して室内に戻し、断熱性能を向上することができる。
【００２９】
第１〜第４実施形態の二重窓について、室外側の気温が０℃、室内側の気温が２０℃で、室外から室内に流入する空気の流量を変化させたときの内外圧力差、屋外側への熱量、フレームの熱貫流率Ｕｆ、ガラスの熱貫流率Ｕｇ、窓全体の熱貫流率Ｕｗを、解析によって求めた。比較のために、通気部のない二重窓の熱貫流率Ｕｗも求めた。解析結果を図１０に示す。また、換気流量と窓全体の熱貫流率Ｕｗとの関係を図１１に示す。なお、ブラインド８を設置する第２実施形態については、ブラインド８のフィン４６を縦にした状態で解析した。
【００３０】
図１０，１１より明らかなように、換気を行わない二重窓では熱貫流率Ｕｗが２．１２であったのに対して、第１〜第４実施形態の二重窓は熱貫流率Ｕｗが０．２４〜１．５８と大幅に小さい値となった。熱貫流率Ｕｗは、流量が大きくなるほど小さくなる。特に、ハニカムブラインド７を設置した第１実施形態は、熱貫流率Ｕｗが０．２４〜０．７３と非常に小さい値となり、ブラインド８を設置した第２実施形態と整流ガイド９を設置した第３実施形態も、１前後の小さい値となった。また、中間層３内に何も設置しない第４実施形態でも、十分断熱性能を向上する効果があることが確認された。
【００３１】
図１２は、本発明の二重窓の第５実施形態を示している。この実施形態では、外窓１と内窓２の間の中間層３に、第１実施形態と同様にハニカムブラインド７を設置しており、ハニカムブラインド７は室外側の表面７ａを黒色や褐色等の暗色としている。ハニカムブラインド７の室外側の表面７ａを暗色とするには、例えば暗色の生地を使用してもよいし、暗色のフィルムを貼ったり、暗色の塗装を施したものでもよい。
このように、ハニカムブラインド７の室外側の表面７ａを暗色とすることで日射吸収率が向上し、日射により暖められた空気を室内に取り込める利点がある。
【００３２】
図１３は、本発明の二重窓の第６実施形態を示している。この実施形態では、外窓１と内窓２の間の中間層３に、透明ロールスクリーン４９を設置している。透明ロールスクリーン４９の巻取り軸５０の室外側には，板状の気流止め５１が取付けてあり、これにより外窓１の通気部４より流入した空気が透明ロールスクリーン４９に沿って下向きに流れるようにしている。
このように、中間層３に透明ロールスクリーン４９を設置した場合には、透明ロールスクリーン４９を下したままにして外窓１と内窓２に沿った空気の流れを確保しながら、窓からの眺望が阻害されない利点がある。
【００３３】
図１４は、本発明の二重窓の第７実施形態を示している。この実施形態では、外窓１と内窓２の間の中間層３に、透明ロールスクリーン４９を設置し、さらにその室内側に並べて透明でない一般ロールスクリーン５２を設置している。
本実施形態によれば、透明ロールスクリーン４９は常に下げた状態としておき、昼間は一般ロールスクリーン５２を上げることで窓から外の景色を見たり日光を取り入れたりでき、夜間は一般ロールスクリーン５２を下げることで外からの視線を遮ることができる。また、透明ロールスクリーン４９と一般ロールスクリーン５２の間に形成される空気層により、断熱性能のさらなる向上が期待できる。
【００３４】
図１５，１６は、本発明の二重窓の第８実施形態を示している。この実施形態では、外窓１と内窓２の間の中間層３に、外障子５３ａと内障子５３ｂとからなる引違い戸５４を設けている。外障子５３ａと内障子５３ｂは、框５５を組んだ枠にガラスや樹脂板よりなる透光性パネル５６を嵌め込んで構成され、上額縁に取付けたレール５７に吊り戸車５８にて支持され、左右にスライドして開閉できるようにしている。
このように、中間層３に透光性パネル５６を用いた障子５３ａ，５３ｂが設置してあると、台風のような強い雨風のときに外窓１の通気部４から雨水が浸入しても、障子５３ａ，５３ｂにより雨水を遮断できる。また、透光性パネル５６を用いているため、窓からの眺望が阻害されない。なお障子５３ａ，５３ｂは、透光性パネル５６の上部と下部のみにアルミフレームを取付けたものや、透光性パネル５６だけの簡易的なものであってもよい。
【００３５】
これまで冬季の場合について説明したが、本発明の二重窓は夏季においても冬季と同様に優れた断熱性能を発揮する。夏季の場合は、送風機４２により室内を正圧に調整し、通気部４，５と中間層３を通して空気が室内側から室外側に流れるようにする。室内の空気の温度は室外よりも低いので、通気部４，５と中間層３内を空気が室内側から室外側に流れる間に空気に外窓１やハニカムブラインド７等の熱が伝わり、空気と一緒に熱が室外に放出されるため、空気が流出する方向とは逆方向である室外側から室内側への熱輸送が妨げられ、優れた断熱効果を発揮して、室内が涼しく保たれる。なお、整流ガイド９を設ける第３実施形態については、夏期には整流ガイド９の向きを冬期とは室内外逆にする。
【００３６】
以上に述べたように本発明の二重窓は、中間層３内の空気の流れを外窓１と内窓２に沿うように迂回させること、通気部５内を流れる空気に抵抗を与えることにより、空気が流れる方向と逆方向の熱移動が妨げられ、極めて高い断熱性能が得られる。中間層３内にハニカムブラインド等を設けて中間層３内の空気の流れを迂回させること、通気部５内を流れる空気に抵抗を与えることのいずれか一方のみでも、断熱性能を向上する効果がある。また本発明の二重窓は、換気を行いながら断熱性を高められるので、２４時間換気を行う建物に好適である。
【００３７】
外窓１と内窓２のガラス２０，４５は、単板ガラスでも複層ガラスでもよいが、実施形態のように外窓１のガラス２０を単板ガラス、内窓２のガラス４５を複層ガラスにすると、室内の熱が中間層３に伝わりにくくなるため、特に冬期に効果を発揮する。反対に外窓１のガラス２０を複層ガラス、内窓２のガラス４５を単板ガラスにすると、室外の熱が中間層３に伝わりにくくなるため、特に夏期に効果を発揮する。両方とも複層ガラスにすると、冬期・夏期ともに効果を発揮する。もっとも両方とも単板ガラスにした場合でも、中間層３内の空気の流れにより熱を回収することで、冬期・夏期ともに断熱性能を向上する効果がある。
【００３８】
また、外窓１と内窓２のガラス２０，４５のどちらか一方又は両方を低放射性の表面処理を施したガラス（ｌｏｗ−ｅガラス）にするか、外窓１のガラス２０の室内側の面と内窓２のガラス４５の室外側の面のどちらか一方又は両方に低放射性のフィルム（ｌｏｗ−ｅフィルム）を貼ると、ガラス面からの輻射による熱移動が軽減されるため、断熱性能をより一層高めることができる。中間層３内に何も設置しない場合や、整流ガイド９を設けた場合、ハニカムブラインド７やブラインド８を上げた状態のときには、輻射による影響が大きくなるため、このような対策は効果的である。
また、中間層３に設けるハニカムブラインド７やブラインド８、ロールスクリーン４９，５２等に低放射性のフィルムを貼ることもでき、これによっても断熱性能を高める効果がある。
【００３９】
本発明の二重窓、二重窓の内窓及び二重窓の形成方法は、新築の建物に外窓１と内窓２を同時に設置する場合に限らず、既存の単体のサッシ（外窓１）が取付けられた窓に、後から内窓２を増設して二重窓とする場合にも適用できる。既存の外窓を利用することで、コストが抑えられる。
【００４０】
本発明は以上に述べた実施形態に限定されない。外窓と内窓の形態は任意であり、引違い窓に限らず、嵌め殺し窓や開き窓等であってもよい。外窓と内窓の通気部は、必ずしも上框に孔を開けるなどして設けたものでなくてもよく、例えば上框と上枠との隙間を通気部とし、その隙間から空気が流入・流出するものであってもよい。外窓の通気部は、竪枠や下枠等に設けることもできる。空気の流れに抵抗を与える抵抗部は、通気部のうちの何れに設けてあってもよく、外窓の通気部に設けることもできる。また、抵抗部としてグラスウールやウレタンフォーム等のポーラス材を用いる以外に、アルミ等のパンチングパネルや、通気部内の対向する面に互い違いに突設した櫛歯状のフィンを抵抗部とすることもできる。
【符号の説明】
【００４１】
１  外窓
２  内窓
３  中間層
４  外窓の通気部
５  内窓の通気部
６  ポーラス材（抵抗部）
７  ハニカムブラインド（整流体）
８  ブラインド（整流体）
９  整流ガイド（整流体）
４９  透明ロールスクリーン（整流体）
５２  一般ロールスクリーン（整流体）
５４  引違い戸（整流体）
【図１】
2013209876.tif 000003
【図２】
2013209876.tif 000004
【図３】
2013209876.tif 000005
【図４】
2013209876.tif 000006
【図５】
2013209876.tif 000007
【図６】
2013209876.tif 000008
【図７】
2013209876.tif 000009
【図８】
2013209876.tif 000010
【図９】
2013209876.tif 000011
【図１０】
2013209876.tif 000012
【図１１】
2013209876.tif 000013
【図１２】
2013209876.tif 000014
【図１３】
2013209876.tif 000015
【図１４】
2013209876.tif 000016
【図１５】
2013209876.tif 000017
【図１６】
2013209876.tif 000018